(57)【要約】【課題】ブルーライト除去及び耐ＵＶ性の機能を備えるカラーコンタクトレンズを提供する。【解決手段】  ブルーライト除去及び耐ＵＶ性の機能を備えるカラーコンタクトレンズは、上層レンズ１１、中間層レンズ及び下層レンズ１３から構成された被覆型コンタクトレンズである。上層レンズ１１は軟質性半透明状であり、下層レンズ１３は軟質性透明状である。中間層レンズは着色剤１２である。着色剤１２は、下層レンズ１３上に固化される。上層レンズ１１は、紫外線吸収剤及びブルーライト除去コーティング剤を含む。上層レンズ１１は、度数を有するレンズである。【選択図】図１
0003193680.tif 000002
【実用新案登録請求の範囲】
【請求項１】
上層レンズ、中間層レンズ及び下層レンズから構成された被覆型コンタクトレンズであり、ブルーライト除去及び耐ＵＶ性の機能を備えるカラーコンタクトレンズであって、
上層レンズは軟質性半透明状であり、
下層レンズは軟質性透明状であり、
中間層レンズは着色剤であり、
着色剤は、下層レンズ上に固化され、
上層レンズは、紫外線吸収剤及びブルーライト除去コーティング剤を含むことを特徴とするブルーライト除去及び耐ＵＶ性の機能を備えるカラーコンタクトレンズ。
【請求項２】
上層レンズは、度数を有するレンズであることを特徴とする請求項１に記載のブルーライト除去及び耐ＵＶ性の機能を備えるカラーコンタクトレンズ。
【考案の詳細な説明】
【技術分野】
【０００１】
本考案は、ブルーライト除去及び耐ＵＶ性の機能を備えるカラーコンタクトレンズに関するものであり、さらに詳しくは、有色のコンタクトレンズであるとともに、ブルーライト除去及び耐ＵＶ性の機能を有するカラーコンタクトレンズに関するものである。
【背景技術】
【０００２】
一般のサングラスは太陽光中の紫外線（「ＵＶ」とも称する。）を除去し、ブルーライトを僅かだけ（約１０％）除去する機能を備えている。しかし、視界が暗くなると良く見えなくなるため、一般に室内でサングラスをかける者はおらず、屋外でサングラスをかけて、室内でブルーライト除去メガネをかけることが一般的である。通常、カラーコンタクトは、紫外線除去及び近視矯正の機能を備えているが、ブルーライト除去機能は備えていない。
【０００３】
一般に、携帯電話、コンピュータ及びタブレット型パソコンのスクリーンはブルーライトを有する。ブルーライトは可視光線中で最も強力な光線であるため、長時間直視し続けると黄斑及び網膜の細胞が病変してしまうことがある上、ブルーライトにより目が疲れたり目がしょぼしょぼしたりすることもある。通常、コンピュータ、携帯電話のスクリーンを長時間見続けることがないように、少なくとも５０分間毎に５〜１０分間、瞬きをしたり、遠くを見たり、立ち上がって身体を動かしたりして目を休ませる必要がある。しかし、仕事の関係上、スクリーンを長時間見つめ続けなければならない場合、ブルーライトを除去する眼鏡をかける必要があるが、市販されているブルーライト除去メガネ又はサングラスは、メガネレンズを使用するのが一般的であり、従来、ブルーライト除去及び耐ＵＶ性の機能を有するカラーコンタクトレンズが存在していなかったため、その開発が求められていた。
【考案の概要】
【考案が解決しようとする課題】
【０００４】
従って、本考案の課題は、レンズがブルーライト除去及び耐ＵＶ性の機能を備え、カラー模様のカラーコンタクトレンズであるブルーライト除去及び耐ＵＶ性の機能を備えるカラーコンタクトレンズを提供することにある。
【課題を解決するための手段】
【０００５】
そこで、本考案者は、上記課題を解決するため鋭意検討を重ねた結果、下記の通りの考案を完成するに至った。
【０００６】
かくして、本考案によれば、
上層レンズ、中間層レンズ及び下層レンズから構成された被覆型コンタクトレンズであり、ブルーライト除去及び耐ＵＶ性の機能を備えるカラーコンタクトレンズであって、
上層レンズは軟質性半透明状であり、
下層レンズは軟質性透明状であり、
中間層レンズは着色剤であり、
着色剤は、下層レンズ上に固化され、
上層レンズは、紫外線吸収剤及びブルーライト除去コーティング剤を含むことを特徴とするブルーライト除去及び耐ＵＶ性の機能を備えるカラーコンタクトレンズが提供される。
【０００７】
また、上記カラーコンタクトレンズにおいて、上層レンズは、度数を有するレンズであることが好ましい。
【考案の効果】
【０００８】
本発明は、上記の通りの構成からなるものであり、ブルーライトを効率よく除去することができると共に、紫外線を吸収することもでき、特に、眼球に害を与えるブルーライトをカットできるので、黄斑部の劣化および白内障を防止することができる。かかる観点から、実用上価値の高いコンタクトレンズを提供することができる。
【図面の簡単な説明】
【０００９】
【図１】図１は、本考案の一実施形態に係るブルーライト除去及び耐ＵＶ性の機能を備えるカラーコンタクトレンズを示す斜視図である。
【図２】図２は、本考案の一実施形態に係るブルーライト除去及び耐ＵＶ性の機能を備えるカラーコンタクトレンズの製作過程を示す模式図（１）である。
【図３】図３は、本考案の一実施形態に係るブルーライト除去及び耐ＵＶ性の機能を備えるカラーコンタクトレンズの製作過程を示す模式図（２）である。
【図４】図４は、本考案の一実施形態に係るブルーライト除去及び耐ＵＶ性の機能を備えるカラーコンタクトレンズの製作過程を示す模式図（３）である。
【考案を実施するための形態】
【００１０】
以下、図面により、本考案について具体的に説明する。もっとも、本考案は、これらの図面によって限定されるものではない。
【００１１】
図１を参照する。図１は、本考案の一実施形態に係るブルーライト除去及び耐ＵＶ性の機能を備えるカラーコンタクトレンズ１０を示す斜視図である。コンタクトレンズ１０は、３層の複層式構造を有し、互いに被覆型構造である。その上層レンズ１１は、軟質性半透明（例えば、淡い底色）の構造であり、下層レンズ１３は、軟質性透明の構造であり、中間層は着色剤１２である。中間層には、点状の着色剤１２が分布され、深さが異なるリング状に形成され、その透過点の分布によりレンズの使用者は自然に美しく見えるようになる。
【００１２】
以下、本実施形態のコンタクトレンズ１０の製作過程を説明する。
【００１３】
工程（１）：図２を参照する。まず、下膜プラスチック片２０を第１の型枠１００上に載置する。下膜プラスチック片２０の上面には円形凹溝２１が形成されている。金型装置上の第１の印刷パッド（ｐｒｉｎｔｉｎｇ  ｐａｄ）１０１は、下層レンズ１３の材料を下膜プラスチック片２０の凹溝２１内に印刷し、反応槽により固化成形させる。
【００１４】
工程（２）：図３を参照する。その後、すでに固化された下層レンズ１３を含む下膜プラスチック片２０を第２の型枠２００上へ載置し、金型装置上の第２の印刷パッド（ｐｒｉｎｔｉｎｇ  ｐａｄ）２０１は、すでに固化された下層レンズ１３上に着色剤１２を塗布し、点状に分布されたリングを形成し、着色剤１２が反応槽により乾燥されて位置決めされる。
【００１５】
工程（３）：図４を参照する。図４に示すように、着色剤１２を含み固化した下層レンズ１３の下膜プラスチック片２０を第３の型枠３００上に載置し、度数を有する紫外線吸収剤及びブルーライト除去コーティング剤を含む上層レンズ１１を、固化された下層レンズ１３内に液滴し、着色剤１２を覆い、上膜プラスチック片３０により下膜プラスチック片２０上を覆い、上膜プラスチック片３０下方の円形バンプ３１は、下膜プラスチック片２０の凹溝２１内を覆い、未だ固化成形されていない上層レンズ１１の上方を覆い、レンズ製作装置の点塗布、圧着、反応及び離型を行った後に洗浄を行い、図１に示すようなコンタクトレンズ１０の完成品を製作する。コンタクトレンズ１０の上層レンズ１１中の紫外線吸収剤は、紫外線スペクトルの光を吸収する。ブルーライト除去コーティング剤は、ブルーライト除去機能を有する。上述のコンタクトレンズ１０は、金型中にレンズを鋳造する。レンズを形成する単体の単体混合物は、金型中に設置され、紫外線を照射してブルーライトコーティングを固化する。
【００１６】
上述したことから分かるように、本考案のブルーライト除去及び耐ＵＶ性の機能を備えるカラーコンタクトレンズは、全く新しいコンタクトレンズであり、度数を有する上、ブルーライト除去及び耐ＵＶ性の機能を備えたものである。
【符号の説明】
【００１７】
１０  コンタクトレンズ
１１  上層レンズ
１２  着色剤
１３  下層レンズ
２０  下膜プラスチック片
２１  凹溝
３０  上膜プラスチック片
３１  バンプ
１００  第１の型枠
１０１  第３の型枠
２００  第２の型枠
２０１  印刷パッド
３００
【図１】
0003193680.tif 000003
【図２】
0003193680.tif 000004
【図３】
0003193680.tif 000005
【図４】
0003193680.tif 000006